(57)【要約】【課題】コンピュータ用のマウス等に用いられる入力操作装置に関し、回転操作および押し下げ操作可能なホイール本体に対し、それら以外の操作も可能となる構成のものを提供する。【解決手段】ホイール本体３０を駆動部材６０に回転可能に保持させると共に、そのホイール本体３０の多角形球面形状の貫通孔３４に、回転軸２０の第二多角形球体部２２を係合保持させ、また、回転軸２０の第一多角形球体部２１を回転型エンコーダ５０の回転体５１に係合保持させた。これにより、上記ホイール本体３０を幅方向側に倒す力を加えると、各多角形球体部２１、２２の保持部分で回動してホイール本体３０および駆動部材６０がその方向に倒れ、上記倒れ動作に応じて駆動部材６０の垂下部６７で第二プッシュスイッチ８５または８８を作動させる構成にした。【選択図】図１
2011108077.tif 000002
【特許請求の範囲】
【請求項１】
多角形孔が形成された回転体を有する回転型電気部品と、略棒状で、一方の端部位置に設けられた第一多角形球体部が上記回転体の多角形孔に挿入されて係合保持されると共に、反対側の端部位置にも第二多角形球体部が形成された回転軸と、上記第二多角形球体部に応じた多角形球面形状の貫通孔を中心位置に有した円板状で、上記貫通孔内に上記回転軸を挿通させて上記第二多角形球体部を係合保持するホイール本体と、上記ホイール本体を回転可能に保持する保持部に、上面視で上記ホイール本体の幅の中心位置に合わせて前後それぞれに延設された前方突出部および後方突出部を有し、その前方突出部は、中間棒状部に垂下部を有した形状とされ、上記後方突出部が所定の固定部材上に支持されて配された駆動部材と、上記ホイール本体への押し下げ操作で、上記駆動部材は、上記後方突出部が支点となって傾き動作をし、下方に傾いていく上記前方突出部の中間棒状部によって作動される第一プッシュスイッチと、上記ホイール本体を幅方向側に倒す操作で、上記回転軸の第一および第二多角形球体部の保持部分で回動して上記ホイール本体およびそれを保持する上記駆動部材が上記後方突出部を支点としつつ操作された方向に倒れ、上記駆動部材の倒れ動作による上記垂下部の移動によって作動されるように配された第二プッシュスイッチとを備えた入力操作装置。
【請求項２】
回転軸が第一多角形球体部側に付勢されるように、弾性部材を付設した請求項１記載の入力操作装置。
【請求項３】
第二プッシュスイッチが配される配線基板に上下に貫通する開口部を設け、駆動部材の垂下部を上記開口部内に位置させると共に、上記第二プッシュスイッチとして、配線基板面に水平に操作ボタンを押圧操作するものを用いて、上記操作ボタンが上記開口部内もしくはそれよりも下方に位置するように上記第二プッシュスイッチを上記配線基板に配した請求項１記載の入力操作装置。
【発明の詳細な説明】
【技術分野】
【０００１】
本発明は、コンピュータ用のマウスや各種電子機器の入力操作部等に用いられる入力操作装置に関するものである。
【背景技術】
【０００２】
コンピュータ用のマウスは、マウス本体の上面に２つのクリックボタンを備えると共に、そのクリックボタンの間に押し下げ操作可能なスクロール用ホイールを有するものが主流になってきた。
【０００３】
ここで、上記スクロール用ホイール部分を構成している従来の入力操作装置について、図面を用いて以下に説明する。
【０００４】
図１１は従来の入力操作装置の要部断面図であり、同図において、１は円板状に形成されたホイール本体で、その中心位置には回転軸２が固定され、その回転軸２の一方の端部は多角形球体部３に形成され、他方側は大径円柱部４に形成されている。
【０００５】
そして、１０は、配線基板５に半田付け固定された回転型エンコーダであり、その回転体１１の中央孔１２形状は、多角形球体部３と同じ多角形断面での孔形状となっており、上記中央孔１２に多角形球体部３が挿入されて係合保持されている。この構成とされていることによって、回転軸２の回転時には回転体１１が共回りし、また回転軸２は、多角形球体部３を支点として回転軸２の他方側の傾倒動作が可能になっている。なお、詳細説明は省略するが、当該回転型エンコーダ１０は、回転体１１が回転すると所定のエンコーダ信号が得られるものとなっている。
【０００６】
そして、回転軸２の大径円柱部４側に対応する配線基板５位置には、押圧式のプッシュスイッチ１５が配され、その操作ボタン１６上に大径円柱部４が載せられている。なお、１７は大径円柱部４の支えを補助するために配してあるバネ部材である。
【０００７】
以上のように、回転軸２は、回転型エンコーダ１０とプッシュスイッチ１５で左右ともに支えられており、非操作状態では水平を保っている。
【０００８】
そして、ホイール本体１を回転させると、回転軸２を介して回転型エンコーダ１０が作動して所定出力が得られ、ホイール本体１を下方に押し下げると、多角形球体部３を支点として回転軸２の大径円柱部４側が下がり、大径円柱部４でプッシュスイッチ１５の操作ボタン１６が押されてスイッチングされる。その押し下げ力を除くと、プッシュスイッチ１５の操作ボタン１６が元のスイッチオフ位置に戻ると共にバネ部材１７の付勢力も加わって回転軸２を元の水平状態に押し戻すものであった。
【０００９】
なお、この出願の発明に関連する先行技術文献情報としては、例えば、特許文献１、特許文献２が知られている。
【先行技術文献】
【特許文献】
【００１０】
【特許文献１】特開２００４−３８３１６号公報
【特許文献２】特開２００６−１９６０２５号公報
【発明の概要】
【発明が解決しようとする課題】
【００１１】
上記従来の入力操作装置においては、ホイール本体１の回転操作と押し下げ操作のみが可能な構成となっていたが、コンピュータ技術者等のユーザは、マウスに対し、毎日何千回〜何万回とホイール本体１への操作をすると共に、その近傍位置に配置された二つのクリックボタンも同様に毎日何千回〜何万回と操作しなければならない。このため、指の移動動作等が少なくなるように、クリックボタンの機能を、例えばホイール本体１などの他の構成部位への簡易な操作でも可能にして欲しいという開発要請をされるようになってきた。
【００１２】
本発明は、このような従来の課題を解決するものであり、回転・押し下げ操作が可能に構成されたホイール本体に対し、さらに、それら以外での操作形態も可能に構成した入力操作装置を提供することを目的とする。
【課題を解決するための手段】
【００１３】
上記目的を達成するために本発明は、以下の構成を有する。
【００１４】
本発明は、多角形孔が形成された回転体を有する回転型電気部品と、略棒状で、一方の端部位置に設けられた第一多角形球体部が上記回転体の多角形孔に挿入されて係合保持されると共に、反対側の端部位置にも第二多角形球体部が形成された回転軸と、上記第二多角形球体部に応じた多角形球面形状の貫通孔を中心位置に有した円板状で、上記貫通孔内に上記回転軸を挿通させて上記第二多角形球体部を係合保持するホイール本体と、上記ホイール本体を回転可能に保持する保持部に、上面視で上記ホイール本体の幅の中心位置に合わせて前後それぞれに延設された前方突出部および後方突出部を有し、その前方突出部は、中間棒状部に垂下部を有した形状とされ、上記後方突出部が所定の固定部材上に支持されて配された駆動部材と、上記ホイール本体への押し下げ操作で、上記駆動部材は、上記後方突出部が支点となって傾き動作をし、下方に傾いていく上記前方突出部の中間棒状部によって作動される第一プッシュスイッチと、上記ホイール本体を幅方向側に倒す操作で、上記回転軸の第一および第二多角形球体部の保持部分で回動して上記ホイール本体およびそれを保持する上記駆動部材が上記後方突出部を支点としつつ操作された方向に倒れ、上記駆動部材の倒れ動作による上記垂下部の移動によって作動されるように配された第二プッシュスイッチとを備えた入力操作装置としたものである。
【００１５】
これによれば、ホイール本体に対し回転・押し下げ操作ができて各々所定信号が得られる上、上記ホイール本体を幅方向側に倒す操作も可能で、その操作でも所定信号が得られるものにできる。その幅方向側に倒す操作を、左右両方で行えるものとして、各々の方向に倒す操作で得られるそれぞれの信号を、例えば、左右のクリックボタンに対応させておくことにより、一つのホイール本体への所定操作で、従来のクリックボタン操作までを含めて操作可能なものが得られるという作用を有する。
【発明の効果】
【００１６】
以上のように本発明によれば、回転・押し下げ操作が可能に構成されたホイール本体に対し、さらに、それらの操作に加えてホイール本体を幅方向側に倒す操作も可能となって、その操作でも所定信号が得られる構成の入力操作装置を実現することができるという有利な効果が得られる。
【図面の簡単な説明】
【００１７】
【図１】本発明の一実施の形態による入力操作装置の上面図
【図２】同分解斜視図
【図３】同右側面図
【図４】同前面図
【図５】図１のＸ−Ｘ線での断面図
【図６】ホイール本体を押し下げた状態の前面図
【図７】同断面図
【図８】同右側面図
【図９】ホイール本体を左方向に倒した状態の前面図
【図１０】同断面図
【図１１】従来の入力操作装置の要部断面図
【発明を実施するための形態】
【００１８】
以下、本発明の実施の形態について、図１〜図１０を用いて説明する。
【００１９】
（実施の形態）
図１は本発明の一実施の形態による入力操作装置の上面図、図２は同分解斜視図、図３は同右側面図、図４は同前面図、図５は図１のＸ−Ｘ線での断面図である。
【００２０】
同図において、２０は、樹脂などからなる略棒状の回転軸で、図２や図５に示したように、その一方の端部位置には第一多角形球体部２１を、また反対側の端部位置にも第二多角形球体部２２を有した形状に形成されている。それらの間の棒状円柱部２３は円形断面の円柱で、第一多角形球体部２１はその円形断面と同じ程度の大きさ、もしくはそれよりも小さい形状になるように設けられ、逆に第二多角形球体部２２はその円形断面より大きい形状になるように設けられている。なお、多角形球体とは、図２や図５から判るように、断面が正多角形で側面が円弧状の形状のものである。
【００２１】
そして、３０は樹脂などから円板状に形成されたホイール本体で、図５に示したように、その両側面には、ホイール本体３０の回転中心軸を中心としたリング突起３１がそれぞれ設けられている。各リング突起３１の内部領域には穴部３２が設けられており、左右の穴部３２どうしの間の内壁部３３に、ホイール本体３０の回転中心軸に対応させて上記第二多角形球体部２２に応じた多角形球面形状の貫通孔３４が設けられている。なお、当該構成では、貫通孔３４は右側にいくほど窄まる形状で形成している。
【００２２】
ホイール本体３０に対し、回転軸２０は、第二多角形球体部２２が貫通孔３４内面に係合して配されており、棒状円柱部２３や第一多角形球体部２１は、右の穴部３２から右側に突出している状態で組み合わせられている。この状態に組み合わせるには、ホイール本体３０に対し回転軸２０を第一多角形球体部２１側から左の穴部３２および貫通孔３４に挿通させていき、第二多角形球体部２２が貫通孔３４内面に当接するまで押し込んで上記状態のものとする。
【００２３】
５０は、単体完成品としてなる回転型エンコーダ（回転型電気部品）で、配線基板４０の所定位置に半田付けされている。この回転型エンコーダ５０は、図５からも判るように、回転体５１が回転されると、回転体５１に装着された刷子５４が導電パターン５５上を弾接摺動して端子５６からインクリメンタル式のエンコーダ信号が得られる構成となっている。また、回転体５１は、刷子５４装着面とは反対側の面に凹凸部を有し、その凹凸部上に、カバー部材５７に固定されたクリックバネ５８が弾接しており、回転体５１の回転に伴って節度感触が得られるようになっている。さらに、回転体５１は、回転軸２０の第一多角形球体部２１に応じて正多角形で形成された多角形孔５２を中央位置に有し、回転軸２０の第一多角形球体部２１は、多角形孔５２に挿入されて係合保持されている。
【００２４】
６０は、樹脂からなる駆動部材で、図２などに示したように、枠状に構成された部位にホイール本体３０を回転可能に保持する保持部６１を備えている。つまり、上記保持部６１としては、枠状に構成された部位の左右の側壁に構成されており、左の側壁は、その内面に右側が開口する円形凹部６２を有する形状で形成され、右の側壁は、上方開口で右のリング突起３１に応じた円弧孔６３を有したものとなっている。そして、図５に示したように、ホイール本体３０の左のリング突起３１の外周面は、左の側壁に設けた円形凹部６２の内側面で回転可能に保持され、右のリング突起３１の外周面下方側も、右の側壁に設けた円弧孔６３で回転可能に保持されている。
【００２５】
さらに、保持部６１の円形凹部６２の底面中央位置には、ホイール本体３０の回転中心軸上で右に突出する第一小突起６４が形成されている。そして、図５に示したように、コイルバネ７５が、この第一小突起６４を内包し左の側壁の円形凹部６２底面に弾接するように撓めて配され、その他端は第二多角形球体部２２の左側面部に弾接している。なお、第二多角形球体部２２の左側面部の中央位置にも第一小突起６４に応じた第二小突起２４が同軸上で設けられ、同様にコイルバネ７５の他端側に内包されている。なお、第一小突起６４と第二小突起２４は、コイルバネ７５の位置決め用に設けたものである。
【００２６】
そして、コイルバネ７５の付勢力で回転軸２０は右側に付勢され、この力によって、回転軸２０は第二多角形球体部２２が貫通孔３４内面に押し付けられて係合状態になっている。なお、保持部６１へのホイール本体３０などの組み込み時には、ホイール本体３０に回転軸２０を挿入し、かつ回転軸２０にコイルバネ７５を組み合わせた仕掛品を、コイルバネ７５の一端側内に第一小突起６４を内包させるようにしつつ斜め方向からホイール本体３０の左のリング突起３１を、左の側壁に設けた円形凹部６２内に嵌め込むようにすればよく、このために、保持部６１となる右の側壁は、上方開口の円弧孔６３を有したものとしている。なお、上記には、回転軸２０を右に付勢する部材をコイルバネ７５で説明したが、その他の弾性部材を配した構成としてもよく、またその際には、保持部もそれに応じた構成にすればよい。
【００２７】
駆動部材６０の枠状に構成されている前後壁には、枠状部分からそれぞれ離れるように前後に突出させて前方突出部６５、後方突出部６９が一体形成されている。前方突出部６５および後方突出部６９の延設位置は、上面視で上記ホイール本体３０の幅の中心位置に合わせて設けられている。
【００２８】
後方突出部６９は、棒状で下方部分が円弧状に形成されており、図３に示したように、マウスの下筐体９５に上方開口で設けられたＵ字溝９６に載せられて配されている。このＵ字溝９６が所定の固定部材としてなるものである。なお、その支持構成においては、上記とは逆構成のものとしてもよい。例えば、後方突出部の下方部分を凹形として、Ｕ字溝９６の代わりに上方に突出する断面円弧状の所謂かまぼこ状とした固定部材上で、上記後方突出部の下方部分を支持するなどとしてもよい。
【００２９】
一方、前方突出部６５は、中間棒状部６６の先端に垂下部６７を有した側面視略Ｌ字形状に形成されている。そして、中間棒状部６６は、Ｕ字溝９６で後方突出部６９を支持させた配置状態で、水平状態もしくは先端側が傾斜して下がる形状に形成されており、中間棒状部６６下面は、配線基板４０上に半田付けされた第一プッシュスイッチ８０の操作ボタン８１上に載っている（図３参照）。なお、前方突出部６５および後方突出部６９が所定部材上に載せられた状態で、回転軸２０が配線基板４０面に平行になるように各部材の高さ設定をしている。
【００３０】
そして、配線基板４０は、ホイール本体３０およびそれを保持した駆動部材６０の保持部分に対応した箇所が切り欠かれていると共に、垂下部６７に対応する位置にも開口部４１を有し、その開口部４１左右の縁位置には、同じ第二プッシュスイッチ８５、８８がそれぞれ半田付けされている（図１、図４参照）。この第二プッシュスイッチ８５（８８）は、操作ボタン８６（８９）を配線基板４０面に対し平行に押圧操作するタイプのものを用いている。
【００３１】
そして、図４からわかるように、第二プッシュスイッチ８５、８８は、操作ボタン８６、８９が開口部４１内もしくはそれよりも下方に位置し、かつ操作ボタン８６、８９どうしが対向するように配線基板４０に実装され、その操作ボタン８６、８９どうしの間に垂下部６７が配されている。この配置関係にすれば当該構成部分の低背化が図れて好ましい。なお、垂下部６７の側面に各操作ボタン８６、８９を当接状態にしておくとよいが、所定隙間をもって対向配置されるようにしてあってもよい。
【００３２】
当該入力操作装置は以上のように構成され、詳細は動作説明で行うが当該構成のものは、ホイール本体３０への押し下げ操作で、ホイール本体３０を保持した駆動部材６０が、その後方突出部６９を支点として前方側への傾き動作をし、また、ホイール本体３０を幅方向側となる左右方向のいずれかに倒す操作で、駆動部材６０が、後方突出部６９を支点としつつ操作された方向に倒れる動作をするものとなる。なお、マウスへの搭載状態としては、マウスの上筐体９８の開口部から、ホイール本体３０の上方部分を所定量上方に突出させた状態で搭載される（図４、図５参照）。
【００３３】
続いて、当該入力操作装置の動作について説明する。
【００３４】
まず、マウスの上筐体９８から突出したホイール本体３０部分を円周方向に沿って回転操作すると、駆動部材６０で保持されたホイール本体３０が回転する。そのホイール本体３０の回転動作で、内壁部３３の貫通孔３４も回転し、そこに係合保持されている第二多角形球体部２２つまり回転軸２０が共回りする。さらに、回転軸２０の回転動作により、第一多角形球体部２１を挿通して係合保持している回転型エンコーダ５０の回転体５１も同期回転し、回転型エンコーダ５０から上記回転操作量に応じたエンコーダ信号が得られる。なお、この回転操作時に下方への操作力が若干働くが、その力で第一プッシュスイッチ８０が不用意に作動して駆動部材６０が傾かないように第一プッシュスイッチ８０としては所定の動作力を有したものを用いている。なお、第一プッシュスイッチ８０の動作力が小さいものを用いる場合には、前方突出部６５を上方に付勢する補助用の弾性部材を付加した構成としてもよい。
【００３５】
次に、マウスの上筐体９８から突出したホイール本体３０部分を下方に押し下げると、駆動部材６０は、上記後方突出部６９が支点となって前方側が下がる傾き動作をして図６〜図８に示した傾き動作後の状態となる。つまり、ホイール本体３０が下方に移動していくと、それを保持した駆動部材６０も下方に移動しようとするが、駆動部材６０の後方突出部６９は固定位置となっているＵ字溝９６に載せられているため、前方突出部６５側が下がっていく動作をする。
【００３６】
ここに、当該構成では、回転軸２０の第二多角形球体部２２がホイール本体３０内で係合保持され、また上記回転軸２０は、第一多角形球体部２１で回転型エンコーダ５０の回転体５１に係合保持されている構成としている。この構成であれば、図７からも判るように、上記傾き動作時に上記両者の多角形球体部２１、２２の保持部分での回動が発生するため、上記駆動部材６０の傾き動作は滑らかなものとなる。なお、回転軸２０を弾性部材で右側に付勢している構成であれば、第二多角形球体部２２側の係合状態が安定して維持され、さらに好ましい。
【００３７】
なお、従来品でも、同様にホイール本体への押し下げ操作はできる構成であったが、従来品は回動可能箇所が一箇所のみだったため、ホイール本体が若干幅方向側に倒れる。しかし、当該構成では、回動可能箇所を回転軸２０の両端二箇所に持たせているため、ホイール本体３０の幅方向側への倒れも少なく操作しやすいものとなる。
【００３８】
そして、駆動部材６０の傾き動作に応じて、図６、図８から判るように、中間棒状部６６下面で第一プッシュスイッチ８０の操作ボタン８１が押し下げられ、第一プッシュスイッチ８０が作動される。なお、第一プッシュスイッチ８０は作動時に節度感触が得られるものが好ましい。そして、ホイール本体３０への押し下げ操作力を除くと、第一プッシュスイッチ８０は操作ボタン８１が自己復帰してスイッチオフ状態に戻ると共に、操作ボタン８１で駆動部材６０の中間棒状部６６つまり前方突出部６５が押し上げられ、多角形球体部２１、２２の保持部分で回動しつつ元の押し下げ操作前の状態に戻る。なお、上記押し下げ操作時に、回転型エンコーダ５０の回転体５１が不用意に回転しないように、回転型エンコーダ５０としても節度感触が得られるものを用いている。また、上記駆動部材６０の傾き動作時には垂下部６７の上下移動が発生するが、第二プッシュスイッチ８５、８８を側方に押し込むタイプのものを用いているため、第二プッシュスイッチ８５、８８が作動されることはない。
【００３９】
さらに、マウスの上筐体９８から突出したホイール本体３０部分に対し、幅方向側の左方向に倒す操作力を加えると、図９や図１０に示したように、上記回転軸２０は第一多角形球体部２１の係合保持部分で大きく回動し、また第二多角形球体部２２の係合保持部分でも若干回動し、上記ホイール本体３０およびそれを保持する上記駆動部材６０が後方突出部６９を支点としつつ操作された方向に倒れる。そして、この倒れ動作によって、垂下部６７も左方向に倒れて、垂下部６７の右側面で、第二プッシュスイッチ８８の操作ボタン８９を側方に押し込んで第二プッシュスイッチ８８を作動させる。なお、第二プッシュスイッチ８５、８８も作動時に節度感触が得られるものが好ましい。そして、上記の左方向に倒す操作力を除くと、第二プッシュスイッチ８８が元のスイッチオフ状態に自己復帰して、操作ボタン８９が元の位置に戻ると共に垂下部６７を押し戻し、多角形球体部２１、２２の保持部分で回動しつつ元のホイール本体３０が中立状態である操作前の状態に戻る。
【００４０】
ホイール本体３０部分に対し幅方向側の右方向に倒す操作力を加えた場合の動作についてもほぼ同様の動作となる。簡単に説明すると、その操作によって垂下部６７が右方向に倒れて、垂下部６７の左側面で、対向配置された第二プッシュスイッチ８５の操作ボタン８６を側方に押し込んで第二プッシュスイッチ８５を作動させ、その操作力を除くと、第二プッシュスイッチ８５が元のスイッチオフ状態に自己復帰して垂下部６７を押し戻し、元のホイール本体３０が中立状態である操作前の状態に戻る。
【００４１】
なお、上記のホイール本体３０を幅方向側へ倒す操作の際にも、回転型エンコーダ５０は不用意に作動しないものを用いておくことや、第一プッシュスイッチ８０も不用意に作動されない動作力のものを用いておくこと等は重要である。また、上記ホイール本体３０の幅方向側への倒れ動作後にその復帰を補助させるために、トーションバネやねじりコイルバネなどの弾性体を後方突出部６９等に付加した構成としてもよい。
【００４２】
以上のように、当該入力操作装置は、ホイール本体３０への回転操作と押し下げ操作で、各々の操作に応じた信号が得られると共に、さらに、ホイール本体３０の幅方向側に倒す操作が可能な構成で、その倒された左方向または右方向に対応して各々配された第二プッシュスイッチ８８または８５のスイッチングが行えるものとなっている。
【００４３】
そして、当該入力操作装置を搭載したマウスにおいては、ホイール本体３０への回転操作と押し下げ操作は従来品同様の使い方で、ホイール本体３０を幅方向側に倒す操作で得られる第二プッシュスイッチ８５または８８のスイッチング信号を、従来のマウスにおけるクリックボタン操作で得られる信号に割り当てておくことによって、従来のクリックボタン操作までを含めてホイール本体３０への操作のみで行えるマウスに実現できる。この形態のマウスであれば、ホイール本体３０のみへの操作で現状の一般的なマウス操作が全て済むものとなるため、従来品よりも大幅に指の移動動作などが少なくできる。
【００４４】
なお、以上には、回転型エンコーダ５０を用いた構成を例として説明したが、それ以外の回転型電気部品を用いて構成してもよい。また、当該入力操作装置は、マウス以外の各種電子機器に搭載してもよい。さらに、ホイール本体の倒れ動作としても、幅方向側の一方の方向のみに倒す操作が可能で、その方向のみで信号が得られる構成などとしてもよい。
【産業上の利用可能性】
【００４５】
本発明による入力操作装置は、回転・押し下げ操作が可能に構成されたホイール本体に対し、さらに、それらの操作に加えてホイール本体を幅方向側に倒す操作も可能となって、その操作でも所定信号が得られるものが得られ、主にコンピュータ用のマウス等に有用である。
【符号の説明】
【００４６】
２０  回転軸
２１  第一多角形球体部
２２  第二多角形球体部
２３  棒状円柱部
２４  第二小突起
３０  ホイール本体
３１  リング突起
３２  穴部
３３  内壁部
３４  貫通孔
４０  配線基板
４１  開口部
５０  回転型エンコーダ（回転型電気部品）
５１  回転体
５２  多角形孔
５４  刷子
５５  導電パターン
５６  端子
５７  カバー部材
５８  クリックバネ
６０  駆動部材
６１  保持部
６２  円形凹部
６３  円弧孔
６４  第一小突起
６５  前方突出部
６６  中間棒状部
６７  垂下部
６９  後方突出部
７５  コイルバネ
８０  第一プッシュスイッチ
８１、８６、８９  操作ボタン
８５、８８  第二プッシュスイッチ
９５  下筐体
９６  Ｕ字溝
９８  上筐体
【図１】
2011108077.tif 000003
【図２】
2011108077.tif 000004
【図３】
2011108077.tif 000005
【図４】
2011108077.tif 000006
【図５】
2011108077.tif 000007
【図６】
2011108077.tif 000008
【図７】
2011108077.tif 000009
【図８】
2011108077.tif 000010
【図９】
2011108077.tif 000011
【図１０】
2011108077.tif 000012
【図１１】
2011108077.tif 000013